(57)【要約】  洗濯機用洗剤ケース及び洗濯機であって、引き出し可能な筐体（１）と、ケース上蓋（３）と、筐体（１）を収容するための収容室（２）を含み、筐体（１）は、筐体前板（１０１）、筐体背板、筐体底板（１０３）及び対向する２つの筐体側板（１０４）を備え、収容室（２）は、収容室底壁（２０１）、収容室後壁（２０２）及び対向して設けられる２つの収容室側壁（２０３）を含み、ケース上蓋（３）が収容室（２）に固定接続される。収容室側壁（２０３）の上端部は収容室スライド経路（２０４）と支持リブ（２０５）を有し、各収容室スライド経路内（２０４）には、軸線が筐体側板（１０４）と平行なローラ（２０６）が装着されており、支持リブ（２０５）は、収容室スライド経路（２０４）の外側における筐体（１）寄りの側に位置するとともに、収容室スライド経路（２０４）と平行に設けられ、筐体側板（１０４）は、上端部において外部に屈曲したあと下方に屈曲することで筐体スライド凹溝（１０５）を形成し、支持リブ（２０５）は、筐体スライド凹溝（１０５）内に位置して筐体（１）を支持するために用いられる。これにより、洗剤ケースの出し入れ過程における円滑性と、洗剤ケースのその他の方向における位置規制及び固定との要求が解決されるため、ユーザエクスペリエンス及び製品品質が向上する。【選択図】図４
2020506737.tif 000002
【特許請求の範囲】
【請求項１】
引き出し可能な筐体と、ケース上蓋と、筐体を収容するための収容室を含み、前記筐体が、筐体前板、筐体背板、筐体底板及び対向する２つの筐体側板を備え、前記収容室が、収容室底壁、収容室後壁及び対向して設けられる２つの収容室側壁を含み、前記ケース上蓋が収容室に固定接続される洗濯機用洗剤ケースであって、
前記収容室側壁の上端部は収容室スライド経路と支持リブを有し、各収容室スライド経路内には、軸線が前記筐体側板と平行なローラが装着されており、前記支持リブは、前記収容室スライド経路の外側における前記筐体寄りの側に位置するとともに、前記収容室スライド経路と平行に設けられ、
前記筐体側板は、上端部において外部に屈曲したあと下方に屈曲することで筐体スライド凹溝を形成し、前記支持リブは、筐体スライド凹溝内に位置して筐体を支持するために用いられることを特徴とする洗濯機用洗剤ケース。
【請求項２】
前記筐体スライド凹溝のうち筐体から離間する側壁は前記筐体スライド凹溝の外側壁をなしており、前記筐体スライド凹溝の外側壁は前記ローラに当接することを特徴とする請求項１に記載の洗濯機用洗剤ケース。
【請求項３】
前記筐体スライド凹溝は前記支持リブの上端部と接触し、且つ、前記筐体スライド凹溝の内部の幅は前記支持リブの厚さよりも大きいことを特徴とする請求項１に記載の洗濯機用洗剤ケース。
【請求項４】
前記支持リブの側面と前記筐体スライド凹溝の側壁の間には隙間が存在することを特徴とする請求項１に記載の洗濯機用洗剤ケース。
【請求項５】
前記ケース上蓋のうち前記収容室寄りの面は突出する固定リブを有し、前記固定リブは前記支持リブと対向し、これらの間で前記筐体スライド凹溝の底面がスライドすることを特徴とする請求項１に記載の洗濯機用洗剤ケース。
【請求項６】
前記筐体が前記収容室内で引っ張られる過程での運動ストロークを限定するよう、洗剤ケースには位置規制部材が設けられていることを特徴とする請求項１に記載の洗濯機用洗剤ケース。
【請求項７】
前記筐体側板の上端部は突出する三角形の位置規制先端を有し、前記位置規制先端のうち前記筐体前板寄りの側の傾斜度は、前記位置規制先端のうち前記筐体背板寄りの側の傾斜度よりも大きいことを特徴とする請求項６に記載の洗濯機用洗剤ケース。
【請求項８】
前記ケース上蓋は、前記筐体が閉止状態となったときの位置規制先端に対応する位置に配置される位置規制係合溝を有し、前記位置規制係合溝と前記位置規制先端が係合することで、前記筐体が閉止状態時において前記収容室に対し前後に運動するとの事態を阻止することを特徴とする請求項６又は７に記載の洗濯機用洗剤ケース。
【請求項９】
前記ケース上蓋は、前記筐体が引き出し状態の最大ストローク位置にあるときの位置規制先端に対応する位置に配置されるとともに、前記筐体の外側への運動継続を規制するストッパを有することを特徴とする請求項６〜８のいずれかに記載の洗濯機用洗剤ケース。
【請求項１０】
請求項１〜９のいずれかに記載の洗濯機用洗剤ケースを含むことを特徴とする洗濯機。
【発明の詳細な説明】
【技術分野】
【０００１】
本発明は洗濯機器の分野に属し、具体的には、洗濯機用洗剤ケース及び洗濯機に関する。
【背景技術】
【０００２】
洗剤ケースは洗濯機に洗剤を投入するための構造である。洗剤ケースは、例えば、粉末洗剤、液体洗剤、漂白剤、柔軟剤といった粉末状及び液体状の洗剤を収容するために用いられる。洗濯機を動作させる際、ユーザは、引出しを引き出して各種タイプの洗剤を投入し、引出しを閉じる。そして、給水弁が洗剤ケースに対し給水を開始することで、洗剤が内槽に流れ込む。通常、洗濯機用洗剤ケースユニットと引出しは、ガイドレールを有さないか、シングルレール構造となっている。
【０００３】
特許文献１は、筐体、ケース蓋及び洗剤を収容するための収容室を含む洗剤ケースを開示している。前記ケース蓋と前記筐体の間には、前記ケース蓋をスライド及び開放させるための第１スライドレール機構が設けられている。前記第１スライドレール機構は、前記筐体の上端部に設けられる第１ガイドレール群と、前記ケース蓋の底部に固定されるとともに、前記第１ガイドレール群に嵌設される第１スライド溝群を含む。
【０００４】
このような方式は使用しやすいものの、多くの瑕疵が存在している。まず、洗剤ケースの引出しに対する位置規制が十分でないため、引出しを引き出した後に左右にぐらついてしまう。また、一般的に、洗剤ケースユニットと引出しはエンジニアリングプラスチックで作製されるが、時間の経過とともにプラスチックが変形する。結果、引出しの正常な引き出し及び閉止が不可能となるか、引き出せたとしても非常に難航し、ユーザの使用感や洗濯機の品質レベルに深刻な影響を及ぼす。
【０００５】
上記に鑑みて、本発明を提案する。
【先行技術文献】
【特許文献】
【０００６】
【特許文献１】中国特許出願第２０１５２０２９６１５４．Ｘ号明細書
【発明の概要】
【発明が解決しようとする課題】
【０００７】
本発明は、従来技術の瑕疵を解消し、洗剤ケースの出し入れ過程における円滑性と、洗剤ケースのその他の方向における位置規制及び固定という要求を双方ともに解決し、ユーザエクスペリエンス及び製品品質を向上する洗濯機用洗剤ケースを提供することを解決すべき技術的課題とする。
【課題を解決するための手段】
【０００８】
上記の目的を実現するために、本発明では以下の技術方案を用いる。
【０００９】
洗濯機用洗剤ケースであって、引き出し可能な筐体と、ケース上蓋と、筐体を収容するための収容室を含み、筐体が、筐体前板、筐体背板、筐体底板及び対向する２つの筐体側板を備え、収容室が、収容室底壁、収容室後壁及び対向して設けられる２つの収容室側壁を含み、ケース上蓋が収容室に固定接続され、収容室側壁の上端部は収容室スライド経路と支持リブを有し、各収容室スライド経路内には、軸線が筐体側板と平行なローラが装着されており、支持リブは、収容室スライド経路の外側における筐体寄りの側に位置するとともに、収容室スライド経路と平行に設けられ、筐体側板は、上端部において外部に屈曲したあと下方に屈曲することで筐体スライド凹溝を形成し、前記支持リブは、筐体スライド凹溝内に位置して筐体を支持するために用いられる。
【００１０】
更に、前記筐体スライド凹溝のうち筐体から離間する側壁は筐体スライド凹溝の外側壁をなしており、筐体スライド凹溝の外側壁はローラに当接する。ローラの軸線を筐体の側板と平行に設けるとともに、ローラを筐体スライド凹溝の外側壁に当接させることで、洗剤ケースの筐体の出し入れ過程における摩擦力を低減させられるだけでなく、筐体を両側面方向においてより良好に規制可能となる。よって、ローラの軸線と側壁とが垂直に配置される一般的なスライドレール方式の筐体のように、引き出し後に左右にぐらつくとの事態が回避される。
【００１１】
更に、前記筐体スライド凹溝は支持リブの上端部と接触し、且つ、筐体スライド凹溝の内部の幅は支持リブの厚さよりも大きい。
【００１２】
更に、前記支持リブの側面と筐体スライド凹溝の側壁の間には隙間が存在する。支持リブは筐体スライド凹溝内に位置するとともに、支持リブの側面と筐体スライド凹溝の側壁の間に隙間が存在する。これにより、筐体の側面と外部の間には、接点である支持リブの上端部及びローラという２つの力点しか存在しない。且つ、ローラによる緊締作用によって、支持リブにおける相互の圧力を更に低下させられるため、当該箇所における滑り摩擦力が低減する結果、筐体の運動がより円滑となる。
【００１３】
更に、前記ケース上蓋のうち収容室寄りの面は突出する固定リブを有し、前記固定リブは支持リブと対向し、これらの間で筐体スライド凹溝の底面がスライドする。
【００１４】
更に、前記筐体が収容室内で引っ張られる過程での運動ストロークを限定するよう、洗剤ケースには位置規制部材が設けられている。
【００１５】
更に、前記筐体側板の上端部は突出する三角形の位置規制先端を有し、位置規制先端のうち筐体前板寄りの側の傾斜度は、位置規制先端のうち筐体背板寄りの側の傾斜度よりも大きい。
【００１６】
更に、ケース上蓋は、筐体が閉止状態となったときの位置規制先端に対応する位置に配置される位置規制係合溝を有し、前記位置規制係合溝と位置規制先端が係合することで、筐体が閉止状態時において収容室に対し前後に運動するとの事態を阻止する。
【００１７】
更に、ケース上蓋は、筐体が引き出し状態の最大ストローク位置にあるときの位置規制先端に対応する位置に配置されるとともに、筐体の外側への運動継続を規制するストッパを有する。本発明におけるケース上蓋は、固定装置を介して収容室に固定接続される。筐体の位置規制先端と、ケース上蓋に設けられる位置規制係合溝及びストッパを係合させることで、筐体のストロークを規制可能となり、筐体全体が引き出されることによる使用しにくさが回避されるだけでなく、筐体を閉止状態において位置規制可能となるため、閉止状態時における筐体の滑りや前後のぐらつきが回避される。
【００１８】
また、上記いずれかの洗剤ケースを含む洗濯機を開示する。
【発明の効果】
【００１９】
上記の技術方案を用いることで、本発明は従来技術と比較して以下のような有益な効果を有する。
【００２０】
本発明で開示する洗濯機用洗剤ケースと当該洗剤ケースを使用する洗濯機では、ローラの軸線を筐体の側板と平行に設けるとともに、ローラを筐体スライド凹溝の外側壁に当接させる。これにより、洗剤ケースの筐体の出し入れ過程における摩擦力を低減させられるだけでなく、筐体を両側面方向においてより良好に規制可能となる。よって、ローラの軸線と側壁とが垂直に配置される一般的なスライドレール方式の筐体のように、引き出し後に左右にぐらつくとの事態が回避される。
【００２１】
且つ、収容室の支持リブの側面と筐体スライド凹溝の側壁の間には隙間が存在する。これにより、筐体の側面と外部の間には、接点である支持リブの上端部及びローラという２つの力点しか存在しない。且つ、ローラによる緊締作用によって、支持リブにおける相互の圧力を更に低下させられるため、当該箇所における滑り摩擦力が低減する結果、筐体の運動がより円滑となる。
【００２２】
本発明における洗剤ケースのケース上蓋は、固定装置を介して収容室に固定接続される。筐体の位置規制先端と、ケース上蓋に設けられる位置規制係合溝及びストッパを係合させることで、筐体のストロークを規制可能となり、筐体全体が引き出されることによる使用しにくさが回避されるだけでなく、筐体を閉止状態において位置規制可能となるため、閉止状態時における筐体の滑りや前後のぐらつきが回避される。
【００２３】
本発明の洗剤ケースを使用する洗濯機では、洗剤ケースの位置規制が十分なことから、洗剤ケースが左右にぐらつくことがなく、引出し及び閉止が難なく円滑となる。よって、ユーザにとって極めて使用しやすくなり、製品レベルが向上する。
【００２４】
以下に、図面を組み合わせて、本発明の具体的実施形態につき更に詳細に述べる。
【００２５】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２６】
【図１】図１は、本発明における洗濯機用洗剤ケースが上蓋を有さない場合の閉止状態を示す図である。
【図２】図２は、本発明における洗濯機用洗剤ケースが上蓋を有さない場合の引き出し状態を示す図である。
【図３】図３は、本発明の洗濯機用洗剤ケースの正面の断面図である。
【図４】図４は、図３のＡ部分の拡大図である。
【図５】図５は、本発明の洗濯機用洗剤ケースの閉止状態における側面の断面図である。
【図６】図６は、本発明の洗濯機用洗剤ケースの引き出し状態における側面の断面図である。
【図７】図７は、本発明における洗濯機用洗剤ケースの引き出し状態を示す図である。
【発明を実施するための形態】
【００２７】
なお、これらの図面及び文字記載は何らかの方式で本発明の構想の範囲を制限するとの意図ではなく、特定の実施例を参照して当業者に本発明の概念を説明するためのものである。
【００２８】
本発明における実施例の目的、技術方案及び利点をより明確とすべく、以下では本発明の実施例にかかる図面を組み合わせて、実施例の技術方案につき明瞭簡潔に述べる。なお、以下の実施例は本発明を説明するためのものであって、本発明の範囲を制限するものではない。
【００２９】
本発明の記載において、「上」、「下」、「前」、「後」、「左」、「右」、「垂直」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されることを明示又は暗示するものではない。よって、本発明を制限するものと理解すべきではない。
【００３０】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【００３１】
図１〜図７に示すように、本発明は、引き出し可能な筐体１と、ケース上蓋３と、筐体を収容するための収容室２を含む洗濯機用洗剤ケース及び洗濯機について開示する。筐体１は、筐体前板１０１、筐体背板、筐体底板１０３及び対向する２つの筐体側板１０４を備える。収容室２は、収容室底壁２０１、収容室後壁２０２及び対向して設けられる２つの収容室側壁２０３を含む。ケース上蓋３は収容室２に固定接続されている。収容室側壁２０３の上端部は、収容室スライド経路２０４と支持リブ２０５を有する。各収容室スライド経路２０４内には、軸線が筐体側板１０４と平行なローラ２０６が装着されている。支持リブ２０５は、収容室スライド経路２０４の外側における筐体寄りの側に位置し、且つ、収容室スライド経路２０４と平行に設けられる。筐体側板１０４は、上端部において外部に屈曲したあと下方に屈曲することで筐体スライド凹溝１０５を形成している。前記支持リブ２０５は、筐体スライド凹溝１０５内に位置して筐体１を支持するために用いられる。また、筐体側板１０４の上端部における位置規制先端１０７が、ケース上蓋３に設けられる位置規制係合溝３０２とストッパ３０３に係合することで、筐体運動のストローク制御及び位置規制が実現される。
【００３２】
本発明によれば、洗剤ケースの出し入れ過程における円滑性と、洗剤ケースのその他の方向における位置規制及び固定という要求が双方ともに解決されるため、ユーザエクスペリエンスと製品品質が向上する。
【実施例】
【００３３】
図１〜図７に示すように、本実施例の洗濯機用洗剤ケースは、筐体１、ケース上蓋３及び筐体を収容するための収容室２を含む。洗剤ケースは、例えば、粉末洗剤、液体洗剤、漂白剤、柔軟剤といった粉末状又は液体状の洗剤を収容するために用いられる。図２に示すように、筐体１は収容室２から引き出し可能なため、ユーザは上記の洗浄物を追加することができる。その後、筐体１を閉じて給水弁が筐体１に対し給水を開始することで、洗剤が内槽に流れ込む。
【００３４】
筐体１の筐体前板１０１、筐体背板、筐体底板１０３及び対向する２つの筐体側板１０４によって、洗剤ケースにおける筐体１の本体フレームが構成される。実際の応用では、洗剤ケースの筐体内に、洗濯機用洗浄物の投入プロセスを実行するための洗剤ケースアタッチメント又はサイフォン出口等が更に装着されている。
【００３５】
洗剤ケースの筐体１は、収容室２に収容される。収容室２は、収容室底壁２０１、収容室後壁２０２及び対向して設けられる２つの収容室側壁２０３を含む。また、ケース上蓋３と収容室２については、固定ボルト又は接着により固定接続を実現する。
【００３６】
図１〜図４に示すように、本発明は、ローラ２０６の軸線方向について創造的設計を施している。具体的に、収容室２の収容室側壁２０３の上端部には、収容室スライド経路２０４と支持リブ２０５が設けられている。筐体１の両側における収容室スライド経路２０４内には、軸線が筐体側板１０４と平行なローラ２０６が装着されている。
【００３７】
従来の設計では、洗剤ケースにローラ構造が装着される場合、ローラの軸線方向はいずれも筐体の側板に対し垂直となっている。このような設計は、通常使用される引出しスライドレールの設計思想に基づくものである。これもまた同様に、物を積載しつつ出し入れの必要性を満たそうとするものではあるが、こうした簡単な技術をそのまま実際の応用に適用することには大きな問題が存在する。
【００３８】
一般的な引出しにおいて、ローラの軸線方向が引出しの側板に対し垂直に設けられているのは、物を積載した後に重量が大きくなるとの要求に応える引出し設計とする必要があるからである。このような軸線方向と引出しの側板が垂直なローラは、ガイドレールと係合したときに引出しの重量がローラの径方向にかかり、滑り摩擦が転がり摩擦に変化する。そのため、積載負荷要求を満たしつつ、スライドを円滑にするとの要求も満たすことができる。
【００３９】
しかし、このような設計は洗剤ケースの実際の特性を十分に考慮していない。
【００４０】
洗剤ケースにかかる荷重はそれほど大きくない。洗剤の重量は非常に小さく、洗剤ケース自体の材質にも通常は軽量材料が使用される。このような特性から、洗剤ケースを設計する場合、積載能力に対する要求はそれほど重要でない。反対に、筐体の円滑な平行移動や完全な位置規制に対する要求はより高くなる。これは、洗剤ケースの位置規制が不十分なことで生じるわずかな隙間が洗濯機の運転に伴う振動環境で拡大し、洗濯機全体の騒音増大につながるためである。
【００４１】
一方、従来の洗剤ケースは筐体を閉止可能とするために、筐体の両側に可動隙間を残しておかねばならない。しかし、上記で分析したように、当該隙間が如何にわずかだったとしても、筐体側板と垂直な方向における筐体の拘束不足を招来することから、筐体は左右へのぐらつきを回避し得なくなる。洗濯機を長期間使用し、洗剤ケースの開閉回数が増加するに伴って、こうしたぐらつきにより洗剤ケースの接続部材は安定性を欠いて行く。また、関連部材の信頼性が低下するとともに、検査やメンテナンスにおけるリスクが増大し、洗濯機の運転時における騒音も大きくなる。
【００４２】
本発明では、筐体両側の位置規制を実現可能とするために、軸線が筐体側板１０４と平行なローラ２０６と支持リブ２０５を使用して、筐体１が必要とするスライド及び支持を実現している。この目的を実現するために、支持リブ２０５は、収容室スライド経路２０４の外側における筐体寄りの側に設けられ、且つ、収容室スライド経路２０４と平行に設けられる（図４参照）。また、支持リブ２０５による支持作用を実現するために、筐体側板１０４は、上端部において外部に屈曲したあと下方に屈曲することで筐体スライド凹溝１０５を形成している。支持リブ２０５は筐体スライド凹溝１０５内に位置し、筐体１を支持するために用いられる。
【００４３】
本実施において、筐体１が収容室スライド経路２０４、支持リブ２０５及びローラ２０６に係合及び装着されていないとき、筐体スライド凹溝１０５の外表面からローラ２０６の軸線までの距離は、ローラの回動半径よりも略大きい。筐体の材質は、プラスチック又は一定の弾性を有するその他の材料である。予め装着する際には、筐体スライド凹溝の外側壁１０６にわずかに外力を加え、筐体スライド凹溝の外側壁１０６をローラ２０６に当接させることで、ローラ２０６に筐体に対する緊締作用を持たせる。言うまでもなく、ローラ２０６は収容室側壁との間に隙間を有する。よって、筐体１の引き出し時にローラ２０６が回動可能となる結果、滑り摩擦が転がり摩擦に変化して、筐体１の運動時における円滑性を極めて大きく向上させる。
【００４４】
図４に示すように、本発明の設計では、筐体スライド凹溝１０５が支持リブ２０５の上端部に接触する。且つ、筐体スライド凹溝１０５の内部の幅は支持リブ２０５の厚さよりも大きい。そのため、筐体スライド凹溝の外側壁１０６は、外壁がローラ２０６と当接しつつ、内壁が支持リブの側面との間に隙間を有する。これにより、筐体の側面と外部の間には、接点である支持リブの上端部及びローラという２つの力点しか存在しない。且つ、ローラによる緊締作用によって、支持リブにおける相互の圧力を更に低下させられるため、当該箇所における滑り摩擦力が低減する結果、筐体の運動がより円滑となる。
【００４５】
他の実施例において、筐体１を予め装着する際には、上述した外力を付与する方法だけでなく、ガイド溝方式を採用してもよい。ガイド溝によれば、筐体１を収容室に装着する際に、筐体スライド凹溝の外側壁１０６と収容室のローラ２０６がしっかり当接するとの技術的効果が得られる。
【００４６】
図１及び図２に示すように、本実施例において、ローラの数は各側２個ずつとし、収容室２の四隅に配置する。これにより、筐体１を十分に位置規制可能となる。また、他の実施例では、実際の必要性や使用効果に応じてローラの数を増減させてもよい。
【００４７】
本発明の他の実施例では、機器の適用性を強化するために、ローラの位置を筐体の側壁に対し接離する方向に調節及び固定可能となるよう設計する。筐体側板と垂直な方向にローラの軸線位置を切り欠き、位置規制装置を追加する方式（例えば、減衰バネや位置規制係合溝等の方式）によって、筐体の側面に対するローラの接離効果が実現される。このような方式で双方の接触力の調整を実現し、筐体スライド凹溝の内壁と支持リブ２０５の側面との隙間の大きさを調節することで、筐体１の開閉運動状態を最適に調整するとの目的が達成される。
【００４８】
本発明の他の実施例では、更に、半径の異なるローラを配置する。この場合も同様に筐体のスライド調整を実施するが、ここでは改めて詳述しない。
【００４９】
本発明では、ローラの軸線を筐体の側板と平行に設けるとともに、ローラを筐体スライド凹溝の外側壁に当接させる。これにより、洗剤ケースの筐体の出し入れ過程における摩擦力を低減させられるだけでなく、筐体を両側面方向においてより良好に規制可能となる。よって、ローラの軸線と側壁とが垂直に配置される一般的なスライドレール方式の筐体のように、引き出し後に左右にぐらつくとの事態が最大限回避される。これにより、所望の技術的効果が実現される。
【００５０】
図４に示すように、本実施例では、筐体１の位置規制を実現するために、突出する固定リブ３０１がケース上蓋３のうち収容室２寄りの面に備わっている。固定リブ３０１の配置位置は支持リブ２０５と対向している。これらの先端面同士の距離は筐体スライド凹溝１０５の厚さよりも大きいため、筐体スライド凹溝１０５はこれらの間でスライドする。このようにしても、筐体１の垂直方向における運動が一定程度規制されるため、筐体の安定性が強化される。
【００５１】
且つ、洗剤ケースに位置規制部材を更に設けることで、筐体１が収容室２内で引っ張られる過程での運動ストロークを限定する。本実施例では、筐体１の位置規制先端１０７によって、筐体１の運動過程でストロークを制御するとともに、筐体１の閉止状態で筐体１の位置を固定するとの要求を満たしている。
【００５２】
図５及び図６に示すように、前記筐体側板１０４の上端部は、突出する三角形の位置規制先端１０７を有している。位置規制先端１０７のうち筐体前板１０１寄りの側の傾斜度は、位置規制先端のうち筐体背板寄りの側の傾斜度よりも大きい。図面から明らかなように、このような形状は、位置規制先端１０７が実現しようとする機能から決定したものである。且つ、ケース上蓋３はストッパ３０３を有している。ストッパ３０３は、上蓋のうち筐体前板１０１寄りの位置に設けられている。ストッパ３０３は突出した鋭角形状をなしており、位置規制先端１０７の形状に対応している。筐体１が収容室２から引き出されると、位置規制先端１０７は筐体１とともに収容室２及びケース上蓋３に対し前方へと移動する。そして、位置規制先端１０７がストッパ３０３に妨げられて位置規制されると、筐体１は最大ストロークに達する。即ち、ストッパ３０３は、ケース上蓋３のうち位置規制先端１０７が外側に引き出される際の最大ストローク位置に配置されている。
【００５３】
且つ、図５及び図６に示すように、ケース上蓋３には位置規制係合溝３０２が設けられている。位置規制係合溝３０２は、筐体１が閉止状態となったときの位置規制先端１０７に対応する位置に配置されている。且つ、位置規制係合溝３０２の形状は位置規制先端１０７と類似している。位置規制係合溝３０２と位置規制先端１０７が係合することで、筐体１が閉止状態において収容室２に対し前後に運動するとの事態を阻止する効果が得られる。
【００５４】
前記位置規制係合溝３０２とストッパ３０３の形状は、いずれも位置規制先端１０７に対応している。これは、筐体１の装着を容易にするとともに、固定及び位置規制作用を発揮可能とするためである。前記筐体の位置規制先端、位置規制係合溝及びストッパを用いることで、筐体のストロークを規制可能となり、筐体全体が引き出されることによる使用しにくさが回避されるだけでなく、筐体を閉止状態において位置規制可能となるため、閉止状態時における筐体の滑りや前後のぐらつきが回避される。
【００５５】
また、本発明の一実施例では、上記いずれかの特性を有する洗剤ケースを含む洗濯機について開示する。この場合、洗剤ケースの出し入れ過程が非常に円滑であり、且つ、左右にぐらつくことがないため、使用体験が極めて良好となる。また、洗剤ケースの位置規制が十分なことから、洗濯機の運転過程における騒音が極めて大幅に低減され、洗濯機の全体品質が向上する。
【００５６】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００５７】
１      筐体
１０１  筐体前板
１０３  筐体底板
１０４  筐体側板
１０５  筐体スライド凹溝
１０６  筐体スライド凹溝の外側壁
１０７  位置規制先端
２      収容室
２０１  収容室底壁
２０２  収容室後壁
２０３  収容室側壁
２０４  収容室スライド経路
２０５  支持リブ
２０６  ローラ
３      ケース上蓋
３０１  固定リブ
３０２  位置規制係合溝
３０３  ストッパ
【図１】
2020506737.tif 000003
【図２】
2020506737.tif 000004
【図３】
2020506737.tif 000005
【図４】
2020506737.tif 000006
【図５】
2020506737.tif 000007
【図６】
2020506737.tif 000008
【図７】
2020506737.tif 000009
【国際調査報告】
2020506737.tif 000010
2020506737.tif 000011
2020506737.tif 000012
2020506737.tif 000013